(57)【特許請求の範囲】
【請求項１】
外部から入力されるデータをメモリに格納し、前記メモリに格納された前記データを読み出して着脱可能な記憶媒体へ記録する記録装置において、
前記記憶媒体への前記データの記録の停止を指示する指示手段と、
前記指示手段により前記記憶媒体への前記データの記録の停止が指示された際の動作モードとして、前記データの記録を停止する通常記録モードと、前記データの記録を継続する記録継続モードと、の何れかを設定するモード設定手段と、
前記通常記録モードにおける前記メモリ内のデータ残量の上限を示す閾値として予め設定された第一の閾値と、前記第一の閾値よりも小さい第二の閾値とを記憶した記憶手段と、
前記モード設定手段により前記記録継続モードが設定された場合、前記記憶手段から前記第二の閾値を読み込み、前記第二の閾値を前記メモリ内のデータ残量の上限を示す閾値として設定する制御手段と、
を備えたことを特徴とする記録装置。
【請求項２】
前記制御手段は、前記指示手段により停止が指示された場合、前記データの全てを前記記憶媒体に記録した後に前記記憶媒体への記録を停止することを特徴とする請求項１に記載の記録装置。
【発明の詳細な説明】
【技術分野】
【０００１】
本発明は、記録装置に関する。
【背景技術】
【０００２】
従来から、ＣＤ（Compact Disc）ＭＤ（MiniDisc）又はＤＶＤ（Digital Versatile Disk）などのディスクメディア（記憶媒体）に格納されたデータを順次読み出し、その読み出したデータに基づいて復号化処理やＤ／Ａ変換処理等の各種変換処理を行い、音声や映像の再生を行う再生装置や、逆に、当該ディスクメディアに対して各種変換処理後のデータを記録する記録装置が知られている。
【０００３】
上述した再生装置／記録装置には、読み出したデータ又は書き込むデータを一時的に格納するメモリを備え、再生の際にはディスクメディアからのデータの読取を高速に行うことで単位時間当たりに再生に必要なデータ量より多くのデータを読み取ってメモリへの格納する読み出し状態と、ディスクメディアからのデータの読取を休止する休止状態とを繰り返す、いわゆる間欠的な読み取り動作を行い、記録の際には外部から入力されるデータをメモリに順次格納し、そのメモリに格納されたデータを順次ディスクメディアに書き込むものがある。
【０００４】
この再生装置／記録装置は、上記メモリに格納されたデータを順次読み出して再生を行う、又は、記録するデータを一旦メモリに格納して順次ディスクメディアに記録することで、衝撃やディスクメディアの交換などにより読み出し／書き込みが中断された場合でも再生／記録を継続的に行うことができる。
【０００５】
例えば、特許文献１には、ディスクメディアからの再生時において、ディスクメディアから高速レートでデータを読み出してメモリに格納し、そのメモリに格納されたデータを低速レートで再生信号処理部に供給する再生装置及びディスクメディアへの記録時において、高速レートで転送されたデータをメモリに格納し、そのメモリに格納されたデータを低速レートで記録信号処理部に供給する記録装置の技術が開示されている。
【０００６】
また、特許文献２には、メモリを利用したディスクメディアからの再生やディスクメディアへの記録を行い、そのディスクメディアの交換時においてはメモリに蓄積したデータを消去することなしに再生や記録を続ける技術が開示されている。
【特許文献１】特開平８−７７６８２号公報
【特許文献２】特開２００１−１７６２００号公報
【発明の開示】
【発明が解決しようとする課題】
【０００７】
しかしながら、上述した従来の再生装置／記録装置では、ディスクメディアの交換により読込／記録動作が中断された時のメモリに格納されたデータ量によっては、再生継続／記録継続する時間が短くなってしまい、ディスクメディアの交換に伴う再生停止時間や記録停止時間が長くなってしまうという問題があった。
【０００８】
本発明の課題は、上記の従来技術における問題に鑑みてなされたものであって、ディスクメディアにおける記録時において当該ディスクメディアの取り外しを行う場合でも継続的な記録を円滑に行う技術を提供することである。
【課題を解決するための手段】
【００１３】
上記課題を解決するために、請求項１に記載の発明は、外部から入力されるデータをメモリに格納し、前記メモリに格納された前記データを読み出して着脱可能な記憶媒体へ記録する記録装置において、前記記憶媒体への前記データの記録の停止を指示する指示手段と、前記指示手段により前記記憶媒体への前記データの記録の停止が指示された際の動作モードとして、前記データの記録を停止する通常記録モードと、前記データの記録を継続する記録継続モードと、の何れかを設定するモード設定手段と、前記通常記録モードにおける前記メモリ内のデータ残量の上限を示す閾値として予め設定された第一の閾値と、前記第一の閾値よりも小さい第二の閾値とを記憶した記憶手段と、前記モード設定手段により前記記録継続モードが設定された場合、前記記憶手段から前記第二の閾値を読み込み、前記第二の閾値を前記メモリ内のデータ残量の上限を示す閾値として設定する制御手段と、を備えたことを特徴とする。
【００１６】
請求項２に記載の発明は、請求項１に記載の発明において、前記制御手段は、前記指示手段により停止が指示された場合、前記データの全てを前記記憶媒体に記録した後に前記記憶媒体への記録を停止することを特徴とする。
【発明の効果】
【００１７】
本発明によれば、記憶媒体における記録時において当該記憶媒体の取り外しを行う場合でも継続的な記録を円滑に行うことができる。
【発明を実施するための最良の形態】
【００１８】
以下、図を参照して本発明の実施形態について詳細に説明するが、この発明は、この実施の形態に限定されない。また、この発明の実施の形態は発明の最も好ましい形態を示すものであり、発明の用途はこれに限定しない。
【００１９】
［第１の実施形態］
本発明の第１の実施形態について、図１〜図３、図５を参照して説明する。
【００２０】
図１は、本発明である再生記録装置１の機能的構成を模式的に示したブロック図であり、図２は、再生記録装置１の再生中における動作処理を示したフローチャートであり、図３は、再生記録装置１の再生中における動作処理の変形例を示したフローチャートであり、図５は、再生中である再生記録装置１のデータメモリに格納されるデータ量と時刻との関係を例示するグラフである。
【００２１】
先ず、再生記録装置１の構成について説明する。図１に示すように、再生記録装置１は、記憶媒体としての光ディスク１１に記録された音声データを順次読み出して再生するものである。具体的には、商用電源や電池電源などで駆動して音楽や映像の再生又は記録を行う装置であり、据え置いての設置、携行、車載等が可能なものである。
【００２２】
再生記録装置１は、スピンドルモータ１２、光ピックアップ１３、送りモータ１４、記録ヘッド１５、ヘッドドライバ１６、ＲＦアンプ１７（Radio  Frequency）、デジタル信号処理回路１８、データメモリ１９、ＤＡＣ２０（Digital-to-Analog  Converter）、アンプ２１、スピーカ２２、マイク２３、ＡＤＣ２４（Analog-to-Digital  Converter）、システムコントローラ２５、操作部２６、表示部２７、計時部２８、記憶部２９及びディスク搬送部３０を備えて構成される。
【００２３】
光ディスク１１は、楽曲データなどのデジタルの音声データ等のデータが格納されるＭＤ（Mini  Disc）、ＣＤ、ＣＤ−Ｒ／ＲＷ（Recordable／ReWriteable）、ＤＶＤ（Digital  Versatile  Disc）、ＤＶＤ−Ｒ／ＲＷ、青色レーザを用いる次世代高密度情報記憶媒体などである。
【００２４】
スピンドルモータ１２は、デジタル信号処理回路１８に制御されて、特に図示しないターンテーブルやクランプ機構にて保持する光ディスク１１を、所定の回転速度で回転駆動する。
【００２５】
光ピックアップ１３は、デジタル信号処理回路１８の制御により、光ディスク１１にレーザ光を照射して音声データ等の記録データの記録及び再生を可能とするためのものである。より詳細には、光ピックアップ１３は、データを光ディスク１１に記録する場合に、光ディスク１１の記録トラックをキュリー温度まで加熱する高レベルのレーザ光を出力する。また、光ピックアップ１３は、記録データを光ディスク１１から再生する際、磁気カー効果を利用して受けた反射光によりデータ信号を検出可能とする低レベルのレーザ光を出力する。光ピックアップ１３は、検出したデータ信号をＲＦアンプ１７に出力する。
【００２６】
なお、光ピックアップ１３は、単位時間当たりに再生に必要なデータ量や単位時間当たりに入力される記録データ量よりも多くのデータの読み込み又は書き込みが可能である。この場合は、後述するデータメモリ１９にデータを一時的に格納することで、再生記録装置１に衝撃等が加わり、光ディスク１１における読み取りや書き込みが一時的に阻害される場合でも再生又は記録に影響することがない。また、光ディスク１１の回転駆動させる時間等を短縮させ、省電力で動作させることができる。
【００２７】
送りモータ１４は、デジタル信号処理回路１８の制御により、光ディスク１１の半径方向光ピックアップ１３を移動させる。
【００２８】
記録ヘッド１５は、データを光ディスク１１に書き込む場合に、光ディスク１１を挟んで光ピックアップ１３と対向する位置に配置され、ヘッドドライバ１６から受けた駆動信号に応じた磁界を生成し、光ディスク１１に印可する。
【００２９】
ヘッドドライバ１６は、デジタル信号処理回路１８によりエンコード処理が施されたデータに基づいて、記録ヘッド１５を駆動するための駆動信号を生成するためのものであり、生成した駆動信号を記録ヘッド１５に供給する。
【００３０】
ＲＦアンプ１７は、光ピックアップ１３が検出した信号を増幅するとともに演算処理等を実行することにより、データ信号である再生ＲＦ信号、トラッキングエラー（ＴＥ）信号、フォーカスエラー（ＦＥ）信号及び光ディスク１１に記録されている絶対位置（ＡＤＩＰ：ADress  In  Pregroove）情報の信号等を抽出するものである。ＲＦアンプ１７は、抽出した各種信号をデジタル信号処理回路１８に出力する。
【００３１】
デジタル信号処理回路１８は、システムコントローラ２５により制御される信号処理回路である。デジタル信号処理回路１８は、音声データを光ディスク１１より再生する場合に、ＲＦアンプ１７が抽出した再生信号にデコード処理を施してデジタルの音声データを生成する。デジタル信号処理回路１８は、デコード処理により生成したデジタルの音声データをデータメモリ１９に出力し、ＲＦアンプ１７が抽出した信号等に基づいて、スピンドルモータ１２、光ピックアップ１３及び送りモータ１４に駆動用の制御信号を出力する。
【００３２】
また、デジタル信号処理回路１８は、音声データを光ディスク１１に記録する場合に、データメモリ１９から入力されたデジタルの音声データにエンコード処理を施して記録信号を生成し、その記録信号等に基づいて、スピンドルモータ１２、光ピックアップ１３、送りモータ１４及びヘッドドライバ１６に駆動用の制御信号を出力する。
【００３３】
データメモリ１９は、音声データを光ディスク１１より再生する場合に、デジタル信号処理回路１８から入力される音声データを一時的に格納し、ＤＡＣ２０に出力する揮発性メモリである。また、データメモリ１９は、音声データを光ディスク１１に記録する場合に、ＡＤＣ２４から入力される音声データを一時的に格納し、デジタル信号処理回路１８に出力する。
【００３４】
ＤＡＣ２０は、データメモリ１９から入力されたデジタルの音声データをアナログの音声信号に変換してアンプ２１に出力する。アンプ２１は、ＤＡＣ２０から入力された音声信号を増幅してスピーカ２２に出力する。スピーカ２２は、アンプ２１から入力された音声信号に基づいて音声出力する。
【００３５】
マイク２３は、入力される音声をアナログの音声信号に変換してＡＤＣ２４に出力する。ＡＤＣ２４は、マイク２３から入力された音声信号をデジタルの音声データに変換してデータメモリ１９に出力する。
【００３６】
システムコントローラ２５は、マイクロプロセッサ等から構成され、デジタル信号処理回路１８、データメモリ１９、操作部２６、表示部２７、計時部２８、記憶部２９及びディスク搬送部３０を制御することで、再生記録装置１の動作を統括制御する。システムコントローラ２５は、特に図示しないが、ＣＰＵ（Central  Processing  Unit）、ＲＡＭ（Random  Access  Memory）、ＲＯＭ（Read  Only  Memory）等を備える。ＣＰＵは、ＲＯＭに格納されているシステムプログラム及び各種アプリケーションプログラムの中から指定されたプログラムや記憶部２９に格納されたデータを読み出してＲＡＭに展開し、そのＲＡＭに展開されたプログラムやデータとの協働で、各種処理を実行する。
【００３７】
操作部２６は、停止キー、再生キー、早戻しキー、早送りキー、ディスク取り出しキー等の各種キーを有する操作パネル等から構成され、利用者の操作入力によって指示された音声データの再生／記録の開始又は停止や、光ディスク１１の取り替えをデータメモリ１９に格納されたデータに基づいて再生や記録が途切れることなく行う再生継続モード／記録継続モードの設定などの各種設定、光ディスク１１の排出などの指示情報をシステムコントローラ２５に出力する。
【００３８】
表示部２７は、ＬＣＤ（Liquid  Crystal  Display）パネルや有機ＥＬ（Electro  Luminescence）素子を用いたＦＰＤ（Flat  Panel  Display）、ＬＥＤ（Light  Emitting  Diode）等から構成され、システムコントローラ２５の制御により、再生・記録時間、トラック番号、ボリューム等の動作状況や各種設定状況に関する情報を表示する。
【００３９】
計時部２８は、特に図示しない常時一定周波数を発信する水晶発振器によるクロック信号を基準に、システムコントローラ２５の制御により、実際の時間を計測し、その計測した時間情報をシステムコントローラ２５に出力する回路部である。
【００４０】
記憶部２９は、電気的にデータの書き換えが可能な不揮発性のメモリであり、各種情報を格納する。例えば、再生／記録時にデータメモリ１９に格納するメモリ量を制御するための設定情報であるデータメモリ制御情報２９１を格納する。
【００４１】
ディスク搬送部３０は、システムコントローラ２５からの制御により、ターンテーブルやクランプ機構などで装置内に保持された光ディスク１１をスピンドルモータなどの駆動機構により搬送する可動トレイなどであり、当該装置から光ディスク１１を容易に取り外すことができるようにするものである。なお、ディスク搬送部３０は、光ディスク１１を取り外し自在にするものであれば上述した構成に限定するものでは無く、例えば、蓋部とそれを開閉する機構であり、装置内に保持されたままの光ディスク１１を取り外し自在にするものであってもよい。
【００４２】
次に、再生記録装置１のシステムコントローラ２５が制御して行う光ディスク１１の再生中の動作処理について説明する。図２に示すように、システムコントローラ２５は、前述した再生中に光ディスク１１を取り外す際にも継続的な再生を行う再生継続モードの設定の有無を判定し（ステップＳ１１）、その設定がされておらず通常の再生を行う場合はステップＳ１２〜Ｓ１７の各処理を行い、設定されている場合はステップＳ１９〜Ｓ２６の各処理を行い、ステップＳ１１の処理への移行又は再生を停止して（ステップＳ１８）処理を終了する。
【００４３】
通常の再生を行う場合は、データメモリ制御情報２９１が読み込まれてデータメモリ１９で一時的に格納するデータ量の下限を示す閾値Ａが設定され（ステップＳ１２）、データメモリ１９に格納するデータ量が閾値Ａを下回ったか否かが判定され（ステップＳ１３）、下回った場合は単位時間当たりに再生に必要なデータ量よりも多い読み込み速度でデータメモリ１９の空き容量が無くなるまで光ディスク１１から読み込まれる（ステップＳ１４、Ｓ１５）。
【００４４】
ステップＳ１３においてデータメモリ１９に格納されるデータ量が閾値Ａを上回った（下回っていない）と判定された場合は、操作部２６からのディスク停止の指示（再生停止の指示）の有無が判定され（ステップＳ１６）、停止の指示が有る場合は光ディスク１１の回転を停止させて光ピックアップ１３を待機位置へ搬送させるなどのディスク停止処理が行われ（ステップＳ１７）、データメモリ１９に格納されたデータに基づく再生が停止されて（ステップＳ１８）、終了する。なお、停止の指示がない場合は前述したステップＳ１１の処理に戻る。
【００４５】
再生継続を行う場合は、データメモリ制御情報２９１が読み込まれてデータメモリ１９で一時的に格納するデータ量の下限が閾値Ｂに設定され（ステップＳ１９）、データメモリ１９に格納するデータ量が閾値Ｂを下回ったか否かが判定され（ステップＳ２０）、下回った場合は前述したステップＳ１４、Ｓ１５と同様にデータメモリ１９の空き容量が無くなるまで光ディスク１１からデータが読み込まれる（ステップＳ２１、Ｓ２２）。
【００４６】
ステップＳ２０においてデータメモリ１９に格納されるデータ量が閾値Ｂを上回った（下回っていない）と判定された場合は、操作部２６から光ディスク１１の交換（取り外し）などの為のディスク停止指示の有無が判定され（ステップＳ２３）、停止の指示がある場合はステップＳ１７と同様にディスク停止処理が行われ（ステップＳ２４）、データメモリ１９に格納されているデータを全て再生したか否かの判定が行われ（ステップＳ２５）、全て再生していない場合は光ディスク１１の交換が終了したか否かの判定、つまり、入れ替え後の光ディスク１１が読み取り可能な状態で有るか否かの判定が行われて（ステップＳ２６）、光ディスク１１の交換が終了していない場合はステップＳ２５へ戻り、交換が終了している場合はステップＳ１１へ戻る。また、継続して行われる再生によりデータメモリ１９に格納されたデータの全てを再生した場合は再生が停止されて（ステップＳ１８）、終了する。
【００４７】
なお、図３に示すように、再生記録装置１は、前述した通常再生モードにおけるステップＳ１２、Ｓ１３の替わりにステップＳ３２、Ｓ３３の処理を行い、再生継続モードにおけるステップＳ１９、Ｓ２０の替わりにステップＳ３９、Ｓ４０の処理を行って、データメモリ制御情報２９１を読み込んで、計時部２８に基づき所定の周期で読み込みとその停止とを行うタイミングに関する情報である間欠動作比率が設定され、その設定された間欠動作比率に基づくタイミングで光ディスク１１からデータを読み出す構成であって良い。
【００４８】
具体的には、通常再生モードにおいては間欠動作比率Ａ１が設定され（ステップＳ３２）、現在がその間欠動作比率Ａ１に基づいた読み出しタイミングであるか否かが判定される（ステップＳ３３）構成であり、再生継続モードにおいては間欠動作比率Ｂ１が設定され（ステップＳ３９）、現在がその間欠動作比率Ｂ１に基づいた読み出しタイミングであるか否かが判定される（ステップＳ４０）構成である。この場合は、データメモリ１９のデータ量を確認する構成などを備える必要が無く、読み込むタイミングを変更するのみの簡単な構成で実施することができる。
【００４９】
また、ステップＳ２４における光ディスク１１の停止処理の際に、前述したステップＳ２１、Ｓ２２の処理を行い、データメモリ１９を再生の為のデータで満たし、空き容量を無くす構成であっても良い。この場合は、光ディスク１１の取り外しを開始する際のデータメモリ１９に格納される再生の為のデータ量をデータメモリ１９に格納可能なデータ量まで引き上げて、再生継続を行う際の再生時間をより長く確保することができるとともに、再生時におけるデータの読み出しを単位時間当たりに再生に必要なデータ量だけ行う構成であっても実施することができる。
【００５０】
また、ステップＳ２０においてデータメモリ１９に格納されるデータ量が閾値Ｂを上回ったと判定された際に、光ディスク１１の取り外しが可能であることを示すＬＥＤ点灯等を行い、利用者に分かり易くする表示する構成であっても良い。
【００５１】
ここで、上述した動作処理で再生中である再生記録装置１のデータメモリ１９に格納されるデータ量と時刻との関係について図６を参照しながら詳細に説明する。図６において、グラフＧ１は、通常再生モードで再生を開始し、時刻Ｔ２〜Ｔ４の間で再生継続モードに切り替えた場合のデータメモリ１９におけるデータ量の推移を示すグラフである。グラフＧ１１は、再生開始時にデータメモリ１９に格納されたデータ量が閾値Ａである場合、その格納されたデータのみでの再生が時刻ｔ１で終了することを示すグラフである。グラフＧ１２は、再生開始時にデータメモリ１９に格納されたデータ量が閾値Ｂである場合、その格納されたデータのみでの再生が時刻ｔ２で終了することを示すグラフである。グラフＧ１３は、再生開始時にデータメモリ１９に空き容量なくデータ量が格納された場合、その格納されたデータのみでの再生が時刻ｔ３で終了することを示すグラフである。
【００５２】
図６のグラフＧ１に示すように、再生記録装置１は、通常再生が開始されると、ステップＳ１２〜Ｓ１５までの各処理を行うことで、データメモリ１９に空き容量が無くなる（時刻Ｔ１）まで光ディスク１１からデータが読み込まれる。次いで、データメモリ１９に格納されているデータ量が閾値Ａを下回る（時刻Ｔ２）まではそのデータメモリ１９に格納されているデータに基づいて再生が行われ、時刻Ｔ２からはデータメモリ１９に空き容量が無くなる（時刻Ｔ３）まで光ディスク１１からデータが読み込まれる。そして、再生モードの変更や光ディスク１１の停止指示があるまで時刻Ｔ１〜Ｔ３の状態が繰り返される。このため、通常再生モードにおいて、データメモリ１９に格納されるデータ量は閾値Ａから空き容量がない１００％までの状態である。
【００５３】
また、例えば、時刻Ｔ２〜Ｔ４の間で再生継続モードに切り替えられた場合は、グラフＧ１に示すように、データメモリ１９に格納されているデータ量が閾値Ｂを下回る（時刻Ｔ４）ところで光ディスク１１からデータが読み込まれるため、データメモリ１９に格納されるデータ量が常に閾値Ｂを上回る状態となる。
【００５４】
つまり、通常再生モードにおいてのデータメモリ１９に格納されたデータのみで再生する事態が生じた場合の最短の再生時間は時刻ｔ１が示すところとなり、再生継続モードにおいてのそれは通常再生モードよりも長く時刻ｔ２が示すところとなる。このため、再生継続モードでの再生途中における光ディスク１１の取り外し時においては、音の途切れるまでの時間を長く保つ、言い換えると再生が途切れる時間を短くすることができ、継続的な再生を円滑に行うことができる。
【００５５】
さらに、ステップＳ２４における光ディスク１１の停止処理の際に、データメモリ１９に空き容量が無くなるまで読み込む場合には、時刻ｔ３が示すところがその再生時間となるため、より途切れる時間を短くすることができる。
【００５６】
以上のように、再生記録装置１は、着脱可能な光ディスク１１におけるデータの読み出しをデータメモリ１９を介して行う際に、その光ディスク１１の取り外し時にデータメモリ１９に格納されたデータに基づいて継続的な再生を行う再生継続モードの指示を操作部２６等から受け付け、その指示があった場合に、上述した再生継続を行う場合の処理（ステップＳ１１、Ｓ１９〜Ｓ２６）により、光ディスク１１の回転を停止させてその取り外しを開始する際のデータメモリ１９に一時的に格納される再生のためのデータ量を閾値Ｂ以上にする構成である。
【００５７】
このため、再生記録装置１は、光ディスク１１における再生時において当該光ディスク１１の取り外しを行う場合でもデータメモリ１９による再生時間を長く確保することができ、継続的な再生を円滑に行うことができる。
【００５８】
［第２の実施形態］
次に、本発明の第２の実施形態について、図１、図４、図５及び図７を参照して説明する。ただし、前述した第１の実施形態と同一な構成、例えば図１に示す再生記録装置１の構成などについては説明を省略する。
【００５９】
図４は、再生記録装置１の記録中における動作処理を示したフローチャートであり、図５は、再生記録装置１の記録中における動作処理の変形例を示したフローチャートであり、図７は、記録中である再生記録装置１のデータメモリに格納されるデータ量と時刻との関係を例示するグラフである。
【００６０】
再生記録装置１のシステムコントローラ２５が制御して行う、マイク２３などから入力された音声データを光ディスク１１へ記録する際の動作処理について説明する。図４に示すように、システムコントローラ２５は、前述した記録中に光ディスク１１を取り外す際にも継続的な記録を行う継続記録モードの設定の有無を判定し（ステップＳ５１）、その設定がされておらず通常の記録を行う場合はステップＳ５２〜Ｓ５７の各処理を行い、その設定がされている場合はステップＳ５９〜Ｓ６６の各処理を行い、ステップＳ５１の処理への移行又は記録を停止して（ステップＳ５８）処理を終了する。
【００６１】
通常の記録を行う場合は、データメモリ制御情報２９１が読み込まれてデータメモリ１９で一時的に格納するデータ量の上限を示す閾値Ｃが設定され（ステップＳ５２）、データメモリ１９に格納するデータ量が閾値Ｃを上回ったか否かが判定され（ステップＳ５３）、上回った場合は単位時間当たりに入力されるデータ量よりも多い書き込み速度でデータメモリ１９における記録すべきデータが無くなるまで光ディスク１１に書き込まれる（ステップＳ５４、Ｓ５５）。
【００６２】
ステップＳ５３においてデータメモリ１９に格納されるデータ量が閾値Ｃを下回っている（上回っていない）と判定された場合は、操作部２６からのディスク停止の指示（記録停止の指示）の有無が判定され（ステップＳ５６）、停止の指示が有る場合は停止時刻までにデータメモリ１９に記録されたデータが光ディスク１１に書き込まれた後にステップＳ１７と同様な光ディスク１１の停止処理が行われ（ステップＳ５７）、記録が停止されて（ステップＳ５８）、終了する。なお、停止の指示がない場合は前述したステップＳ５１の処理に戻る。
【００６３】
継続記録を行う場合は、データメモリ制御情報２９１が読み込まれてデータメモリ１９で一時的に格納するデータ量の上限を示す閾値Ｄが設定され（ステップＳ５９）、データメモリ１９に格納するデータ量が閾値Ｄを上回ったか否かが判定され（ステップＳ６０）、上回った場合は前述したステップＳ５４、Ｓ５５と同様にデータメモリ１９における記録すべきデータが無くなるまで光ディスク１１に書き込まれる（ステップＳ６１、Ｓ６２）。
【００６４】
ステップＳ６０においてデータメモリ１９に格納されるデータ量が閾値Ｄを下回っている（上回っていない）と判定された場合は、操作部２６から光ディスク１１の交換（取り外し）などの為のディスク停止指示の有無が判定され（ステップＳ６３）、停止の指示がある場合はステップＳ１７と同様な光ディスク１１の停止処理が行われ（ステップＳ６４）、データメモリ１９の空き容量の有無が判定され（ステップＳ６５）、空き容量がある場合は光ディスク１１の交換が終了したか否かの判定、つまり、入れ替え後の光ディスク１１が書き込み可能な状態であるか否かの判定が行われて（ステップＳ６６）、光ディスク１１の交換が終了していない場合はステップＳ６５へ戻り、交換が終了している場合はステップＳ５１へ戻る。また、継続して行われる記録によりデータメモリ１９の空き容量が無くなった場合は記録が停止されて（ステップＳ５８）、終了する。
【００６５】
なお、図５に示すように、再生記録装置１は、前述した通常記録モードにおけるステップＳ５２、Ｓ５３の替わりにステップＳ７２、Ｓ７３の処理を行い、再生継続モードにおけるステップＳ５９、Ｓ６０の替わりにステップＳ７９、Ｓ８０の処理を行って、データメモリ制御情報２９１を読み込んで、計時部２８に基づき所定の周期で書き込みとその停止とを行うタイミングに関する情報である間欠動作比率が設定され、その設定された間欠動作比率に基づくタイミングで光ディスク１１へデータを書き出す構成であって良い。
【００６６】
具体的には、通常記録モードにおいては間欠動作比率Ｃ１が設定され（ステップＳ７２）、現在がその間欠動作比率Ｃ１に基づいた書き込みタイミングであるか否かが判定される（ステップＳ７３）構成であり、継続記録モードにおいては間欠動作比率Ｄ１が設定され（ステップＳ７９）、現在がその間欠動作比率Ｄ１に基づいた書き込みタイミングであるか否かが判定される（ステップＳ８０）構成である。この場合は、データメモリ１９のデータ量を確認する構成などを備える必要が無く、書き込むタイミングを変更するのみの簡単な構成で実施することができる。
【００６７】
また、ステップＳ６４における光ディスク１１の停止処理の際に、前述したステップＳ６１、Ｓ６２の処理を行い、データメモリ１９における記録すべきデータが無くなるまで光ディスク１１に記録する構成であって良い。この場合は、光ディスク１１の取り外しを開始する際のデータメモリ１９に格納されるデータを無くし、記録継続を行う際の記録時間を長く確保することができるとともに、記録時におけるデータの書き出しを単位時間当たりに入力されるデータ量だけ行う構成であっても実施することができる。
【００６８】
また、ステップＳ６０においてデータメモリ１９に格納されるデータ量が閾値Ｄを下回ったと判定された際に、光ディスク１１の取り外しが可能であることを示すＬＥＤ等を行い、利用者に分かり易く表示する構成であっても良い。
【００６９】
ここで、上述した動作処理で記録中である再生記録装置１のデータメモリ１９に格納されるデータ量と時刻との関係について図７を参照しながら説明する。図７において、グラフＧ２は、通常記録モードにおけるデータメモリ１９のデータ量の推移を示すグラフである。グラフＧ３は、継続記録モードにおけるデータメモリ１９のデータ量の推移を示すグラフである。グラフＧ２１は、記録開始時にデータメモリ１９の格納量が閾値Ｃである状態から格納したデータを消去することなくデータメモリ１９に記録した場合、時刻ｔ１１で空き容量が無くなることを示すグラフである。グラフＧ２２は、記録開始時にデータメモリ１９の格納量が閾値Ｄである状態から格納したデータを消去することなくデータメモリ１９に記録した場合、時刻ｔ１２で空き容量が無くなることを示すグラフである。グラフＧ２３は、記録開始時にデータメモリ１９の格納データが無い状態から格納したデータを消去することなくデータメモリ１９に記録した場合、時刻ｔ１３で空き容量が無くなることを示すグラフである。
【００７０】
通常記録モードでは、グラフＧ２に示すように、データメモリ１９に格納されるデータ量が閾値Ｃを上回る場合に光ディスク１１への書き込みが行われるため、データメモリ１９の空き容量は閾値Ｃに基づく容量を上限として確保される。また、継続記録モードでは、グラフＧ３に示すように、データメモリ１９に格納されるデータ量が閾値Ｄを上回る場合に光ディスク１１への書き込みが行われるため、データメモリ１９の空き容量は閾値Ｄに基づく容量を上限として確保される。
【００７１】
つまり、通常記録モードにおいてのデータの記録がデータメモリ１９への格納のみに行われる事態が生じた場合の最短の記録時間は時刻ｔ１１が示すところとなり、継続記録モードにおいてのそれは通常記録モードよりも長く時刻ｔ１２が示すところとなる。このため、継続記録モードでの記録途中における光ディスク１１の取り外し時においては、継続的な記録ができなくなるまでの時間を長く保つ、言い換えると記録が途切れる時間を短くすることができ、継続的な記録を円滑に行うことができる。
【００７２】
さらに、ステップＳ６４における光ディスク１１の停止処理の際に、データメモリ１９における記録すべきデータが無くなるまで光ディスク１１に記録する場合には、時刻ｔ１３が示すところがその継続的な記録ができなくなるまでの時間となるため、より途切れる時間を短くすることができる。
【００７３】
以上のように、再生記録装置１は、着脱可能な光ディスク１１におけるデータの書き込みをデータメモリ１９を介して行う際に、その光ディスク１１の取り外し時にマイク２３などにより外部から入力されるデータをデータメモリ１９に格納させて継続的な記録を行う記録継続モードの指示を操作部２６等から受け付け、その指示があった場合に、上述した継続記録を行う場合の処理（ステップＳ５１、Ｓ５９〜Ｓ６６）により、光ディスク１１の回転を停止させてその取り外しを開始する際のデータメモリ１９の空き容量を閾値Ｄに応じた容量以上に確保する構成である。
【００７４】
このため、再生記録装置１は、光ディスク１１おける記録時において当該光ディスク１１の取り外しを行う場合でもデータメモリ１９による記録時間を長く確保することができ、継続的な記録を円滑に行うことができる。
【００７５】
なお、本実施の形態における記述は、本発明の一例を示すものであり、これに限定しない。本実施の形態における再生記録装置１の細部構成及び細部動作に関しては、本発明の趣旨を逸脱しない範囲で適宜変更が可能である。
【００７６】
例えば、本実施の形態では、光ディスク１１に格納するデータは音声データであり、当該音声データを再生／記録する構成を示したが、映像データ又は映像データ付きの音声データ等であって良く特に限定するものではない。
【００７７】
また、再生記録装置１は、フラッシュメモリを利用したメモリキー、メモリカード等の半導体メモリや、ＨＤＤ（Hard  Disk  Drive）等の磁気記憶媒体等であってもよい。
【００７８】
また、閾値は、データメモリ１９に格納可能な総データ量に対する割合や実際に格納するデータ量を示す数値であってよく、特に限定するものではない。
【図面の簡単な説明】
【００７９】
【図１】本発明である再生記録装置１の機能的構成を模式的に示したブロック図である。
【図２】再生記録装置１の再生中における動作処理を示したフローチャートである。
【図３】再生記録装置１の再生中における動作処理の変形例を示したフローチャートである。
【図４】再生記録装置１の記録中における動作処理を示したフローチャートである。
【図５】再生記録装置１の記録中における動作処理の変形例を示したフローチャートである。
【図６】再生中である再生記録装置１のデータメモリ１９に格納されるデータ量と時刻との関係を例示するグラフである。
【図７】記録中である再生記録装置１のデータメモリ１９に格納されるデータ量と時刻との関係を例示するグラフである。
【符号の説明】
【００８０】
１  再生記録装置（再生装置、記録装置）
１１  光ディスク（記憶媒体）
１２  スピンドルモータ
１３  光ピックアップ
１４  送りモータ
１５  記録ヘッド
１６  ヘッドドライバ
１７  ＲＦアンプ
１８  デジタル信号処理回路
１９  データメモリ（メモリ）
２０  ＤＡＣ
２１  アンプ
２２  スピーカ
２３  マイク
２４  ＡＤＣ
２５  システムコントローラ（制御手段）
２６  操作部（モード設定手段、指示手段）
２７  表示部
２８  計時部
２９  記憶部
２９１  データメモリ制御情報
３０  ディスク搬送部
Ａ、Ｂ、Ｃ、Ｄ  閾値
Ａ１、Ｂ１、Ｃ１、Ｄ１  間欠動作比率
Ｇ１〜Ｇ３、Ｇ１１〜Ｇ１３、Ｇ２１〜Ｇ２３  グラフ
Ｔ１〜Ｔ４、ｔ１〜ｔ３、ｔ１１〜ｔ１３  時刻
【図１】
0004752477.tif 000002
【図２】
0004752477.tif 000003
【図３】
0004752477.tif 000004
【図４】
0004752477.tif 000005
【図５】
0004752477.tif 000006
【図６】
0004752477.tif 000007
【図７】
0004752477.tif 000008